(57)【要約】【課題】無線ＬＡＮシステム内において広い伝送帯域を必要とするデータを伝送する際に、その伝送効率の低下を抑えることができる無線ＬＡＮシステム、無線端末、及び無線ＬＡＮシステムにおける通信方法を得る。【解決手段】複数の無線端末が同一のチャンネルで互いにコネクションを確立しながら直接データの伝送を行なう無線ＬＡＮシステムにおいて、各無線端末には、データ伝送の際のコネクションで占有できるデータ伝送帯域の上限としてのしきい値をあらかじめ設定する。そして、映像データ等、このしきい値を超えるようなデータ伝送帯域を有するデータを伝送する際は、この無線ＬＡＮシステム内で同時に１コネクションのみ、該当する無線端末間にしきい値を超えてデータ伝送帯域を占有できる優先コネクションを確立してデータ伝送を行なうとともに、この優先コネクションが確立されている間は、他のコネクションによるデータ伝送を一時中断する。【選択図】図１
2009130859.tif 000002
【特許請求の範囲】
【請求項１】
複数の無線端末が同一のチャンネルで互いにコネクションを確立しながら直接データの伝送を行なう無線ＬＡＮシステムにおいて、
前記複数の無線端末は、前記無線ＬＡＮシステム固有のデータ伝送帯域未満の値にあらかじめ設定された、前記各コネクションにおいて占有できるデータ伝送帯域の上限としてのしきい値を有し、
前記しきい値を超えるデータ伝送帯域を有するデータを伝送する際は、
このしきい値を超えてデータ伝送帯域を占有できる優先コネクションを前記無線ＬＡＮシステム内で同時に１コネクションのみこのデータ伝送を行なう前記無線端末間に確立するとともに、この優先コネクションが確立されている期間中は他の前記コネクションによるデータ伝送を一時中断することを特徴とする無線ＬＡＮシステム。
【請求項２】
前記データはその中に緊急データフラグを有し、この緊急フラグが設定されているデータは、前記優先コネクションが確立されている期間中も、伝送を一時中断されないことを特徴とする請求項１に記載の無線ＬＡＮシステム。
【請求項３】
同一のチャンネルで互いにコネクションを確立しながら直接データの伝送を行なう無線ＬＡＮシステムに用いられる無線端末において、
対象データの伝送に必要なデータ伝送帯域を算定する帯域算定手段と、
この算定したデータ伝送帯域が、前記無線ＬＡＮシステム固有のデータ伝送帯域未満の値にあらかじめ設定された、前記コネクションにおいて占有できるデータ伝送帯域の上限としてのしきい値を越えるか否かを判定する判定手段と、
この判定手段による判定の結果、前記算定したデータ伝送帯域が前記しきい値を超えている場合には、
前記無線ＬＡＮシステム内で同時に１コネクションのみこのしきい値を超えて前記対象データの伝送に必要なデータ伝送帯域を占有できる優先コネクションを宛先となる前記無線端末との間で確立するとともに、この優先コネクション確立の期間中は前記無線ＬＡＮ内における前記優先コネクション以外のコネクションによるデータの伝送をすべて一時中断させるための優先要求を前記無線ＬＡＮ内に発した上で宛先となる前記無線端末との間で前記対象データの伝送を行ない、伝送終了後は、前記優先コネクションを開放し前記優先要求を解除するための優先解除要求を前記無線ＬＡＮ内に発する優先コネクション設定制御手段と、
前記優先要求を受信した場合には、
前記優先コネクション以外で伝送するデータを一時待機させ、前記優先解除要求を受信後にその伝送を再開するデータ待機手段とを有することを特徴とする無線端末。
【請求項４】
前記優先コネクション設定制御手段における優先要求は、前記優先コネクションが確立されている期間中は所定の周期でくり返し発せられ、
前記データ待機手段は、前記優先要求が最初に受信された以降、この所定の周期で受信されない場合は、前記優先解除要求を受信したものと見なすことを特徴とする請求項３に記載の無線端末。
【請求項５】
前記データはその中に緊急データフラグを有し、前記データ待機手段は、前記優先コネクションが確立されている期間中に発生したこの緊急フラグが設定されているデータを一時待機させずに伝送することを特徴とする請求項３または請求項４に記載の無線端末。
【請求項６】
複数の無線端末が同一のチャンネルで互いにコネクションを確立しながら直接データ伝送を行なう無線ＬＡＮシステムにおける通信方法において、
前記複数の無線端末は、前記無線ＬＡＮシステム固有のデータ伝送帯域未満の値にあらかじめ設定された、前記コネクションにおいて占有できるデータ伝送帯域の上限としてのしきい値を有し、
第１の無線端末から第２の無線端末にデータを伝送する際は、
前記第１の端末は、
前記データを伝送するのに必要なデータ伝送帯域を算定し、
この算定したデータ伝送帯域が前記しきい値を超えるか否かを判定し、
この判定の結果、前記しきい値を超えている場合には、前記無線ＬＡＮシステム内で同時に１コネクションのみこのしきい値を超えて前記データを伝送するのに必要なデータ伝送帯域を占有できる優先コネクションを前記第２の無線端末との間で確立し、
この優先コネクション確立の期間中は前記無線ＬＡＮ内における前記優先コネクション以外のコネクションによるデータの伝送をすべて一時中断させるための優先要求を前記無線ＬＡＮ内に発した上で前記第２の無線端末との間で前記データの伝送を行ない、
前記データの伝送完了後は前記優先コネクションを開放し前記優先要求を解除するための優先解除要求を前記無線ＬＡＮ内に発し、
前記優先要求を受信した他の無線端末は、
前記優先コネクション以外で伝送するデータを一時待機させ、
前記優先解除要求を受信後にその伝送を再開する
ことを特徴とする無線ＬＡＮシステムにおける通信方法。
【請求項７】
前記優先要求は、前記優先コネクションが確立されている期間中は所定の周期でくり返し発せられ、前記優先要求を受信した他の無線端末は、前記優先要求が最初に受信された以降、この所定の周期で受信されない場合は、前記優先解除要求を受信したものと見なすことを特徴とする請求項６に記載の無線ＬＡＮシステムにおける通信方法。
【請求項８】
前記データはその中に緊急データフラグを有し、前記優先要求を受信した他の無線端末は、前記優先コネクションが確立されている期間中に発生したこの緊急フラグが設定されているデータを一時待機させずに伝送することを特徴とする請求項６または請求項７に記載の無線ＬＡＮシステムにおける通信方法。
【発明の詳細な説明】
【技術分野】
【０００１】
本発明は、複数の無線端末が同一のチャンネルで互いにコネクションを確立しながら直接データの伝送を行なう無線ＬＡＮシステムにおいて、例えば映像データ等、広い伝送帯域を必要とするデータを伝送するに際して好適な無線ＬＡＮシステム、無線端末、及び無線ＬＡＮシステムにおける通信方法に関する。
【背景技術】
【０００２】
従来の無線ＬＡＮシステムの一例を図４に例示する。この図４に示した従来の無線ＬＡＮシステムは、無線端末ａ４１、無線端末ｂ４２、無線端末ｃ４３、及び無線端末ｄ４４の４台の無線端末で構成されている。これら４台の無線端末は、同一のチャンネルで互いにコネクションを確立している。図４では、例えば矢線で示した５つのコネクションがこの無線ＬＡＮシステム内に確立されており、それぞれの無線端末間で直接データの伝送を行なっている。この種の無線ＬＡＮシステムでは、使用する無線信号の周波数や変調形式等の諸条件により、その無線ＬＡＮシステムに固有のデータ伝送帯域が決まる。一般には、この固有のデータ伝送帯域は、取扱う伝送データの伝送帯域に対して十分な値を確保できるように諸条件が選択されることによって、所期の無線ＬＡＮシステムが構築される。
【０００３】
このような無線ＬＡＮシステムでは従来、主にメッセージやファイル等、いわゆるデータ系のトラフィックを扱っていたが、近年のマルチメディア技術の進歩・普及に伴って、マルチメディア系データのトラフィックについても、データ系のものと同様に、従来の無線ＬＡＮシステムの中で統一して扱うことが望まれるようになった。マルチメディア系データとしては、例えば音声データ、動画像データ、映像データ等のストリーミングデータが挙げられる。これらストリーミングデータは、従来のデータ系のものに比べて広い伝送帯域を必要とし、その伝送にあたって無線端末間のコネクションに対しては、特に伝送中の遅延及び欠落の少ない点において良好な品質のデータ伝送が求められるが、必ずしも十分なコネクションが常時確保できるとは限らない。このため、このようなコネクションの確保の課題に対処しうる技術が開示されている（例えば、特許文献１参照。）。
【０００４】
この特許文献に開示された事例では、アドホックネットワークのような、各無線端末がマルチホップ接続され、送信、受信及び中継端末のいずれにもなり得るネットワークシステムを利用して動画や音声などの大容量のデータを中継しながら送信するときに、経路途中の中継端末のリソースの状態に応じて、中継するデータの量を制限するように制御している。
【特許文献１】特開２００６−５０３７１号公報（第１１ページ、図６）
【発明の開示】
【発明が解決しようとする課題】
【０００５】
ところで、ストリーミングデータとして、例えば監視業務等において取得した監視対象の映像データを、上述したような無線ＬＡＮシステムを利用して継続的に伝送する場合、データの性質上、リアルタイム性が確保されかつデータ欠落のない、広いデータ伝送帯域のコネクションが、所定の無線端末間に設定される。また、１つの無線端末と複数の無線端末との間で同時にこのような広いデータ伝送帯域のコネクションが設定されることもある。さらにこれらマルチメディア系データを扱うコネクションに加え、データ系のトラフィックを扱うコネクションも、同時にこの無線ＬＡＮ内に設定されることもある。
【０００６】
一方、無線ＬＡＮシステムでは、複数の無線端末からの送信データが衝突するなど、トラフィックが輻輳することが知られている。通常は、例えば、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）方式等が採用されるが、いわゆる隠れ端末問題等もあってトラフィックの輻輳を解消することは難しい。
【０００７】
しかしながら、上記したように大容量のデータ伝送を含む多数のコネクションが無線ＬＡＮシステム内に設定されている状況では、このようなトラフィックの輻輳が発生しやすく、また、ひとたび輻輳が発生するとそれぞれにデータ再送を繰り返すことになり、伝送効率が著しく低下することになる。特に、広いデータ伝送帯域を必要とする映像データ等のストリーミングデータを伝送中にトラフィックの輻輳が発生すると、そのリアルタイム性が失われるとともに、データの欠落も頻発する。その結果、映像データを取得しながらの監視業務等においては、業務の遂行に影響を及ぼすおそれがあった。
【０００８】
本発明は、上述の事情を考慮してなされたものであり、無線ＬＡＮシステム内において広い伝送帯域を必要とするデータを伝送する際に、その伝送効率の低下を抑える無線ＬＡＮシステム、無線端末、及び無線ＬＡＮシステムにおける通信方法を提供することを目的とする。
【課題を解決するための手段】
【０００９】
上記目的を達成するために、本発明の無線ＬＡＮシステムは、複数の無線端末が同一のチャンネルで互いにコネクションを確立しながら直接データの伝送を行なう無線ＬＡＮシステムにおいて、前記複数の無線端末は、前記無線ＬＡＮシステム固有のデータ伝送帯域未満の値にあらかじめ設定された、前記各コネクションにおいて占有できるデータ伝送帯域の上限としてのしきい値を有し、前記しきい値を超えるデータ伝送帯域を有するデータを伝送する際は、このしきい値を超えてデータ伝送帯域を占有できる優先コネクションを前記無線ＬＡＮシステム内で同時に１コネクションのみこのデータ伝送を行なう前記無線端末間に確立するとともに、この優先コネクションが確立されている期間中は他の前記コネクションによるデータ伝送を一時中断することを特徴とする。
【００１０】
また、本発明の無線端末は、同一のチャンネルで互いにコネクションを確立しながら直接データの伝送を行なう無線ＬＡＮシステムに用いられる無線端末において、対象データの伝送に必要なデータ伝送帯域を算定する帯域算定手段と、この算定したデータ伝送帯域が、前記無線ＬＡＮシステム固有のデータ伝送帯域未満の値にあらかじめ設定された、前記コネクションにおいて占有できるデータ伝送帯域の上限としてのしきい値を越えるか否かを判定する判定手段と、この判定手段による判定の結果、前記算定したデータ伝送帯域が前記しきい値を超えている場合には、前記無線ＬＡＮシステム内で同時に１コネクションのみこのしきい値を超えて前記対象データの伝送に必要なデータ伝送帯域を占有できる優先コネクションを宛先となる前記無線端末との間で確立するとともに、この優先コネクション確立の期間中は前記無線ＬＡＮ内における前記優先コネクション以外のコネクションによるデータの伝送をすべて一時中断させるための優先要求を前記無線ＬＡＮ内に発した上で宛先となる前記無線端末との間で前記対象データの伝送を行ない、伝送終了後は、前記優先コネクションを開放し前記優先要求を解除するための優先解除要求を前記無線ＬＡＮ内に発する優先コネクション設定制御手段と、前記優先要求を受信した場合には、前記優先コネクション以外で伝送するデータを一時待機させ、前記優先解除要求を受信後にその伝送を再開するデータ待機手段とを有することを特徴とする。
【００１１】
また、本発明の無線ＬＡＮシステムにおける通信方法は、複数の無線端末が同一のチャンネルで互いにコネクションを確立しながら直接データ伝送を行なう無線ＬＡＮシステムにおける通信方法において、前記複数の無線端末は、前記無線ＬＡＮシステム固有のデータ伝送帯域未満の値にあらかじめ設定された、前記コネクションにおいて占有できるデータ伝送帯域の上限としてのしきい値を有し、第１の無線端末から第２の無線端末にデータを伝送する際は、前記第１の端末は、前記データを伝送するのに必要なデータ伝送帯域を算定し、この算定したデータ伝送帯域が前記しきい値を超えるか否かを判定し、この判定の結果、前記しきい値を超えている場合には、前記無線ＬＡＮシステム内で同時に１コネクションのみこのしきい値を超えて前記データを伝送するのに必要なデータ伝送帯域を占有できる優先コネクションを前記第２の無線端末との間で確立し、この優先コネクション確立の期間中は前記無線ＬＡＮ内における前記優先コネクション以外のコネクションによるデータの伝送をすべて一時中断させるための優先要求を前記無線ＬＡＮ内に発した上で前記第２の無線端末との間で前記データの伝送を行ない、前記データの伝送完了後は前記優先コネクションを開放し前記優先要求を解除するための優先解除要求を前記無線ＬＡＮ内に発し、前記優先要求を受信した他の無線端末は、前記優先コネクション以外で伝送するデータを一時待機させ、前記優先解除要求を受信後にその伝送を再開することを特徴とする。
【発明の効果】
【００１２】
本発明によれば、無線ＬＡＮシステム内において広い伝送帯域を必要とするデータを伝送する際に、その伝送効率の低下を抑えることができる無線ＬＡＮシステム、無線端末、及び無線ＬＡＮシステムにおける通信方法を得ることができる。
【発明を実施するための最良の形態】
【００１３】
以下に、本発明に係る無線ＬＡＮシステム、無線端末、及び無線ＬＡＮシステムにおける通信方法を実施するための最良の形態について、図１乃至図４を参照して説明する。
【実施例１】
【００１４】
図１は、本発明に係る無線ＬＡＮシステムの一実施例を、特にコネクションの遷移を中心に示す概念図である。図１では、この無線ＬＡＮシステムは、４台の無線端末、すなわち無線端末Ａ１１、無線端末Ｂ１２、無線端末Ｃ１３、及び無線端末Ｄ１４から構成されている場合を例示している。これら４台の無線端末は同一に構成されているものとし、図１（ａ）に例示したように、それぞれの無線端末は、同一のチャンネルで互いにコネクションを確立しながら直接データの伝送を行なっている。無線ＬＡＮシステムでは、採用する無線信号の周波数や変調形式、あるいは符号化方式等の種々の条件によって決まる固有のデータ伝送帯域を有しており、各コネクションでは、この固有のデータ伝送帯域を超えるデータ伝送帯域を有するデータ伝送は行えない。本発明に係る無線ＬＡＮシステムでは、システム内に同時に複数のコネクションを安定して確保できるように、この無線ＬＡＮシステム固有のデータ伝送帯域に基づき、ひとつのコネクションで占有できるデータ伝送帯域の上限をこの固有のデータ伝送帯域未満としたしきい値を設け、各無線端末内（図示せず）に設定している。図１（ａ）では、このようにしてあらかじめ設定されたしきい値を超えないデータ伝送帯域を持つ５つのコネクションが、矢線で示したようにそれぞれの無線端末間に確立されている場合を例示している。
【００１５】
ここで、このしきい値を超えるような、例えば監視業務で取得した映像データ等のマルチメディア系のストリーミングデータ等を伝送する際は、図１（ｂ）に例示したように、該当する無線端末間に、しきい値を超えた、より広いデータ伝送帯域を占有できる優先コネクションを確立するとともに、他のコネクションによるデータ伝送を一時中断する。図１（ｂ）では、図１（ａ）に示したそれまでの５つのコネクションの中で、無線端末Ｂ１２と無線端末Ｄ１４との間に優先コネクションが確立され、他の４つのコネクションは、データの伝送を一時中断している場合を例示している。この中断の間は無線信号の送受信を一時中断し伝送データも一時待機させることによって、トラフィックの輻輳をなくして伝送効率の低下を抑え、この優先コネクションを用いて、より広いデータ伝送帯域を持ったデータの伝送を効率よく実行している。
【００１６】
そしてこの後、優先コネクションによるデータ伝送が終了すると、図１（ｃ）に例示したように、確立されていた優先コネクションは開放されるとともに他のコネクションの一時中断も解除され、一時待機させられていた他のコネクションによるデータ伝送も再開されるとともに、各端末間で必要なコネクションが継続して確立される。
【００１７】
図２は、図１の無線端末Ａ１１〜無線端末Ｄ１４の構成の一例を示すブロック図である。これら４台の無線端末はいずれも同一に構成され、図２に例示したように、伝送データ処理部２１、伝送帯域算定部２２、伝送帯域比較判定部２３、優先コネクション設定制御部２４、伝送データ待機部２５、及び送受信部２６から構成されている。また、この無線ＬＡＮシステム固有のデータ伝送帯域に基づき、ひとつのコネクションで占有できるデータ伝送帯域の上限としてのしきい値２３１があらかじめ設定されている。このしきい値２３１は、例えば、無線ＬＡＮシステムに対する運用要求やその運用環境等を考慮した上で、無線ＬＡＮシステム固有のデータ伝送帯域未満の適切な値に設定される。
【００１８】
伝送データ処理部２１は、各種の送信対象の伝送データを形成するとともに、受信した伝送データに対して所定のデータ処理を行なう。伝送帯域算定部２２は、送信対象の伝送データに必要となるデータ伝送帯域を算定する。必要なデータ伝送帯域は、基本的には単位時間あたりのデータ発生量等から見極められるが、例えば、伝送データの種類毎にあらかじめ必要なデータ伝送帯域を設定したテーブルを設けておき、このテーブルを参照することによってデータ伝送帯域を算定する手法等も用いることができる。伝送帯域比較判定部２３は、伝送帯域算定部２２によって算定された送信対象の伝送データのデータ伝送帯域がしきい値２３１を超えるか否かを判定する。
【００１９】
優先コネクション設定制御部２４は、この判定結果に基づいて優先コネクションの確立及び開放の制御、ならびに優先要求及び優先解除要求を無線ＬＡＮ内に発するとともに、他の端末から優先要求を受信した場合には、優先解除要求を受信するまでの間、自無線端末から送信する伝送データを、後述の伝送データ待機部２５に一時待機させる。ただし、本実施例においては、緊急フラグが設定されているデータについては一時待機させずに伝送するものとしている。また、優先要求は、優先コネクション確立中には定周期で発するようにするとともに、この定周期の優先要求が受信されなくなった場合には、優先解除要求を受信したものとして構成することもでき、このような構成によれば、無線信号の伝搬状況の変化等に対しても柔軟に優先コネクションの設定制御を行なうことができる。伝送データ待機部２５は、この待機期間中の伝送データを一時保管して待機させるとともに、優先コネクションが開放された後は、待機させていた伝送データを送出する。送受信部２６は、優先コネクション設定制御部２４からの送信対象の伝送データを無線信号に変換して送信するとともに、受信した無線信号を伝送データに変換して伝送データ処理部２１、及び優先コネクション設定制御部２４に送出する。
【００２０】
次に、前出の図１及び図２、ならびに図３のシーケンス図を参照して、上述のように構成された本実施例の無線ＬＡＮシステムの動作について説明する。以下の説明では、図１に例示されたように、無線端末Ｂ１２と無線端末Ｄ１４との間に優先コネクションが確立されてその後解除される場面を中心に説明する。
【００２１】
図３は、本発明に係る無線ＬＡＮシステムの動作を説明するためのシーケンス図である。まず、４台の無線端末１１〜１４は、図１（ａ）のように同一のチャンネルで互いにコネクションを確立しながら直接データの伝送を行なっている。この時、それぞれのコネクションでは、データ伝送帯域がしきい値２３１を超えないような、例えば、データ系のトラフィック等を扱っている（ＳＴ４０１）。ここで、無線端末Ｄ１４から無線端末Ｂ１２に対して、しきい値２３１を超えるようなデータ伝送帯域を有する、例えば映像データを伝送する要求が発生すると、この映像データは、無線端末Ｄ１４内の伝送データ処理部２１から伝送帯域算定部２２に送られて伝送に必要なデータ伝送帯域が算定される。さらにこの算定結果が伝送帯域比較判定部２３に送られてしきい値２３１と比較され、その結果が優先コネクション設定制御部２４に送出される（ＳＴ４０２）。
【００２２】
比較の結果、映像データの必要とするデータ伝送帯域がしきい値２３１を超えていると判定された場合は、優先コネクションを確立してのデータ伝送が必要であるため、優先コネクション設定制御部２４は、無線端末Ｂ１２に対して優先コネクションを確立するための要求を送受信部２６を通じて送信する（ＳＴ４０３）。この要求を受信した無線端末Ｂ１２は自身の優先コネクション設定制御部２４の制御に基づきこれを受け入れ、無線端末Ｄ１４と無線端末Ｂ１２との間に優先コネクションが確立される（ＳＴ４０４）。
【００２３】
これに続けて無線端末Ｄ１４の優先コネクション設定制御部２４は、優先コネクション以外のコネクションによるデータの伝送を一時中断させるための優先要求を、無線ＬＡＮ内の他の無線端末（本実施例では無線端末Ａ１１及び無線端末Ｃ１３）に向けて発行する。本実施例では、この優先要求は、以降定周期で発行されるものとするとともに、優先コネクションの宛先側である無線端末Ｂ１２からも発行するように構成している。一方、優先要求が無線端末Ａ１１及び無線端末Ｃ１３で受信されると、この優先要求はそれぞれの無線端末内の送受信部２６から優先コネクション設定制御部２４に送られ、ＳＴ４０１のステップで確立済みのコネクションによるデータ伝送は一時中断される。そして、中断期間中に伝送データ処理部２１から発生した伝送データは、伝送データ待機部２５に一時待機させて保管される（ＳＴ４０５）。
【００２４】
この後、確立された優先コネクションを用いて、送信側の無線端末Ｄ１４から受信側の無線端末Ｂ１２に向けて映像データの伝送が開始され、優先要求を定周期で発行しながら伝送が継続される（ＳＴ４０６及びＳＴ４０７）。ただし、本実施例においては、緊急フラグが設定されているデータについては一時待機させることなく送信され、その宛先が、例えば無線端末Ｄ１４のように優先コネクション設定中の場合であっても受け付けられる（ＳＴ４０８）。
【００２５】
優先コネクションを用いて伝送を継続していた映像データの伝送が終了すると、この優先コネクションを開放するため、無線端末Ｄ１４の優先コネクション設定制御部２４は、無線端末Ｂ１２に対して優先コネクションを開放するための要求を送受信部２６を通じて送信する（ＳＴ４０９）。この要求を受信した無線端末Ｂ１２はこの要求を受け入れ、無線端末Ｄ１４と無線端末Ｂ１２との間に確立されていた優先コネクションは開放される（ＳＴ４１０）。
【００２６】
さらに、これら２台の無線端末からは、無線ＬＡＮ内の他の無線端末に対して、ＳＴ４０５のステップで発行された優先要求を解除するための優先解除要求が発行される。この後無線端末Ｄ１４と無線端末Ｂ１２との間には、データ伝送の必要に応じてＳＴ４０１と同様のコネクション、あるいは再び優先コネクションを確立するなどして、データ伝送のトラフィックが継続される。一方、無線端末Ａ１１及び無線端末Ｃ１３では、この優先解除要求が受信されると、一時中断していたデータ伝送が再開される。そして、中断期間中にそれぞれの伝送データ待機部２５内に一時保管された伝送データがあれば、当初のコネクションによりこれらデータが伝送され、トラフィックが継続される（ＳＴ４１１）。
【００２７】
以上説明したように、本実施例においては、複数の無線端末が同一のチャンネルで互いにコネクションを確立しながら直接データの伝送を行なう無線ＬＡＮシステムにおいて、各無線端末には、データ伝送の際にコネクションで占有することができるデータ伝送帯域の上限としてのしきい値があらかじめ設定されている。このしきい値は、この無線ＬＡＮシステムの有する固有のデータ伝送帯域未満の値としている。そして、映像データ等、このしきい値を超えるようなデータ伝送帯域を有するデータが発生しこれを伝送する際は、この無線ＬＡＮシステム内で同時に１コネクションのみ、該当する無線端末間にしきい値を超えてデータ伝送帯域を占有できる優先コネクションを確立してデータ伝送を行なうとともに、この優先コネクションが確立されている間は、無線ＬＡＮ内の他のコネクションによるデータ伝送を一時中断している。これにより、無線ＬＡＮ内での送信データの衝突等によるトラフィックの輻輳を大幅に減らすことができるので、広い伝送帯域を必要とするデータを伝送する際に、そのリアルタイム性を確保できるとともにデータ欠落も低減でき、伝送効率の低下を抑えることができる。
【００２８】
また、一時中断中に他の無線端末で発生した伝送データは、自無線端末内に一時待機させ、優先コネクションが開放された後に伝送を再開するとともに、緊急フラグの設定された伝送データについては、優先コネクション確立中にも伝送を行なっており、無線ＬＡＮシステムとしてサービスすべき品質を確保している。
【００２９】
また、それぞれの無線端末は、データ送信に際しては伝送対象のデータの伝送帯域を算定し、その結果がしきい値を超える場合には宛先の無線端末との間に優先コネクションを確立する手順を実行するとともに他の端末に対してデータ伝送を一時中断させるための優先要求を発行した上でデータ伝送を行ない、伝送終了時は優先コネクションを開放して優先解除要求を発行する。一方、優先要求を受信すると、緊急フラグの設定されたデータを除きデータの伝送を一時中断してそれ以降の伝送データを自無線端末内に一時待機させ、優先解除要求を受信後にデータの伝送を再開している。従って、本実施例の無線端末によれば、無線ＬＡＮ内におけるトラフィックの輻輳を大幅に減らすことができるので、広い伝送帯域を必要とするデータを伝送する際に、そのリアルタイム性を確保できるとともにデータ欠落も低減でき、伝送効率の低下を抑えることができる。加えて、優先要求によりデータ伝送を一時中断中に自無線端末で発生し一時待機させた伝送データは、優先解除要求受信後に伝送を再開するとともに、緊急フラグの設定された伝送データについては中断させることなく伝送を行なっており、無線ＬＡＮシステムとしてサービスすべき品質を確保している。
【００３０】
なお、本発明は、上記した実施の形態そのままに限定されるものではなく、実施段階ではその要旨を逸脱しない範囲で構成要素を変形して具体化できる。また、上記した実施の形態に開示されている複数の構成要素の適宜な組み合せにより種々の発明を形成できる。例えば、実施の形態に示される全構成要素から幾つかの構成要素を削除してもよい。さらに、異なる実施の形態にわたる構成要素を適宜組み合せてもよい。
【図面の簡単な説明】
【００３１】
【図１】本発明に係る無線ＬＡＮシステムの一実施例を示す概念図。
【図２】本発明に係る無線端末の構成の一例を示すブロック図。
【図３】本発明に係る無線ＬＡＮシステムの動作を説明するためのシーケンス図。
【図４】従来の無線ＬＡＮシステムの一例を示す図。
【符号の説明】
【００３２】
１１、１２、１３、１４  無線端末
２１  伝送データ処理部
２２  伝送帯域算定部
２３  伝送帯域比較判定部
２４  優先コネクション設定制御部
２５  伝送データ待機部
２６  送受信部
２３１  しきい値
【図１】
2009130859.tif 000003
【図２】
2009130859.tif 000004
【図３】
2009130859.tif 000005
【図４】
2009130859.tif 000006